(57)【要約】【課題】磁歪波を高い感度と精度で検出すること。【解決手段】液面検出領域に磁歪線3を張設し、一端に設けられた発信用スイッチにより磁歪線3の他端に向けて電気信号を発信し、液位に追従するフロート8に設けられた磁石7との反応により生じる磁歪波の到達時間を計測する液面測定装置において、発信用コイルの近傍に磁歪線3を対称線とするように略同一特性の圧電体11,11を磁歪線3の歪が伝達されるように設けた。【選択図】図１
2010217082.tif 000002
【特許請求の範囲】
【請求項１】
液面検出領域に磁歪線を張設し、一端に設けられた発信用スイッチにより前記磁歪線の他端に向けて電気信号を発信し、液位に追従するフロートに設けられた磁石との反応により生じる磁歪波の到達時間を計測する液面測定装置において、
前記発信用コイルの近傍に前記磁歪線を対称線とするように略同一特性の圧電体を前記磁歪線の歪が伝達されるように設けた液面測定装置。
【請求項２】
前記圧電体は、単一の圧電体を基板に固定して、前記圧電体の中心線に前記磁歪線が挿入できる溝により分割して構成されている請求項１に記載の液面測定装置。
【請求項３】
前記振動体は、基板の表面に固定され、また前記基板はその裏面をダンパ部材を介して固定されている請求項1に記載の液面測定装置。
【請求項４】
前記圧電体は、圧電セラミック型である請求項1乃至3のいずれかに記載の液面測定装置。
【発明の詳細な説明】
【技術分野】
【０００１】
本発明は、タンク等に収容された液体の液面をフロートの移動により測定するタンク液量測定装置に関する。
【背景技術】
【０００２】
地下に埋設されたタンクや、またローリ等に搭載されたタンク内の液位測定には、特許文献1に見られるような磁歪線の周囲に測定領域全体に渡るように受信コイルを巻回し、また上端に発信用コイルを設けてなる電歪現象を利用した変位検出手段に、磁石を内蔵したフロートを液面に追従可能に設けた液面測定装置も提案されている。
【０００３】
これによれば、フロートの位置を検出するため、比較的簡単な測定回路により高い精度で液面を検出することができるものの、フロートの位置から反射されたから磁歪波を受信コイルにより電磁現象に基づいて検出するため、受信感度が低いばかりでなく、間接的に検出するため変動要因が存在するという問題がある。
【先行技術文献】
【特許文献】
【０００４】
【特許文献１】特開昭59-37418号公報
【発明の概要】
【発明が解決しようとする課題】
【０００５】
本発明はこのような問題に鑑みてなされたものであって、その目的とするところはフロートなどから反射された磁歪波を高いS/N比で検出することができ、かつ不安定要因を排除することができる磁歪波検出手段を備えた液面測定装置を提供することである。
【課題を解決するための手段】
【０００６】
このような課題を達成するために本発明においては、液面検出領域に磁歪線を張設し、一端に設けられた発信用スイッチにより前記磁歪線の他端に向けて電気信号を発信し、液位に追従するフロートに設けられた磁石との反応により生じる磁歪波の到達時間を計測する液面測定装置において、前記発信用コイルの近傍に前記磁歪線を対称線とするように略同一特性の圧電体を前記磁歪線の歪が伝達されるように設けた。
【発明の効果】
【０００７】
本発明によれば、磁歪線のひずみをそのまま歪として検出するため、磁歪波を高い感度により検出することができ、また変動要因を最小にして不安定要素を排除することができる。
【図面の簡単な説明】
【０００８】
【図１】本発明の液面測定装置の信号処理部の構造を示す断面図である。
【図２】同上装置の磁歪波検出部の構造を示す図である。
【図３】図（ａ）乃至図（ｃ）は、それぞれ同上磁歪波検出部を構成する圧電体の製造方法を示す図である。
【発明を実施するための形態】
【０００９】
本発明の詳細を図示した実施例に基づいて説明する。
図1は、本発明の液面計の送受信部を拡大して示すものであって、送受信回路基板1にはその中心線を通るように一端側（図中、下端）が固定され、一定の張力を付与するように固定手段2で上端が固定されて基板1から若干浮いた状態で張設された磁歪線3が位置している。
【００１０】
磁歪線3は受信回路基板1に配置された図示しない発信用スイッチから延びた発信用ケーブル4が磁歪線3の他端に接続されており、固定手段2の近傍には本発明が特徴とする受信手段10が配置されている。
【００１１】
この受信手段10は、側面が磁歪線3の周面に接し、かつ磁歪線3を対称線とするように好ましくは同一特性を有する圧電体11,11を基板12に固定して構成されている。基板12はダンパ部材13を介して送受信回路基板1に設けられている。この圧電体11は、磁歪線の歪を効率的に電気信号に変換するために圧電セラミック型が好ましい。
【００１２】
なお、図中符号5は、受信回路基板1などを収容するケースを、また図中符号6は、磁石7を内蔵したフロート8をガイドする管体をそれぞれ示す。
【００１３】
図2は上述の受信手段10の一実施例を示すものであって、2つの圧電体11,11は、磁歪線3が接する程度の間隙を設けて基板12に固定され、好ましくは圧電体11,11と磁歪線3とが接する領域に磁歪線3のひずみが圧電体11,11に確実に伝達されるように接着剤などの固着剤14により固定されている。
図3は受信手段10の製造方法を示すものであって、ユニットを構成する所定サイズの複数の圧電振動板11’、11’を単一の基板12’に一列に等間隔で固定し（図ａ）、各圧電振動中心部に磁歪線3に接し、かつ圧電振動板11’だけを2分割できる程度の深さの切り込み15を切断手段16により入れ（図ｂ）、最後に基板12’を切り込みで分割された圧電振動板11’11’が対となるように基板2’を切り離す（図ｃ）ことにより製造される。
【００１４】
このようにして構成され受信手段10は、切り込み15に磁歪線3の周面が接するようにダンパー部材13を介して受信回路回路基板1に取り付けられている。
【００１５】
この実施例において、発信用ケーブル4に電圧パルスを供給すると、磁歪線3に急激な回転磁界が生じてフロート8の磁石7と反応することにより磁歪線3に機械的歪が生じ、この歪みは疎密波となって磁歪線3を約1.4ｋｍ／ｓの速度で伝播し受信手段10に到達する。
【００１６】
到達した疎密波は、磁歪線3の両側に配置された2枚の圧電体11,11を歪ませるため、それぞれの圧電振動板11,11は圧電効果により電気信号を発生する。
【００１７】
このように本発明は機械的歪を直接検出するため、受信コイルにより電磁的に検出する従来のものよりも検出感度が高く、また周囲の磁界に左右されないため感度が高い。
また、磁歪線3に加わる振動は正規信号の他に外乱によるものも発生するが、液位検出に利用できる歪信号は捩れ振動であるため、図2のように磁歪線を対称線とするように配置された2枚の圧電体にそれぞれの差分を検出することにより、回転（捩れ）による以外の信号を相殺できるため、ノイズを減少させて高い精度で検出できる。
【符号の説明】
【００１８】
1  送受信回路基板
2  固定手段
3  磁歪線
7  磁石
8  フロート
10  受信手段
11  圧電体
12  基板
13  ダンパ部材
14  固着剤
【図１】
2010217082.tif 000003
【図２】
2010217082.tif 000004
【図３】
2010217082.tif 000005
【手続補正書】
【提出日】平成22年1月25日(2010.1.25)
【手続補正１】
【補正対象書類名】明細書
【補正対象項目名】００１５
【補正方法】変更
【補正の内容】
【００１５】
この実施例において、発信用ケーブル4に電圧パルスを供給すると、磁歪線3に急激な回転磁界が生じてフロート8の磁石7と反応することにより磁歪線3に機械的歪が生じ、この歪みは疎密波となって磁歪線3を約2.8ｋｍ／ｓの速度で伝播し受信手段10に到達する。